(57)【特許請求の範囲】
【請求項１】
店舗を識別可能なコード画像を表示面に含むカード画像を記憶する記憶手段と、
前記店舗に対応したカード画像の表示指示を受付ける受付手段と、
前記受付手段により表示指示された店舗の前記カード画像を表示する表示手段と、
前記表示されたカード画像に対応する前記店舗を購入店舗として履歴情報を生成する生成手段と、
を有することを特徴とする履歴生成装置。
【請求項２】
前記表示手段は、前記コード画像を除いたカード画像の一部を表示し、前記受付手段により表示指示がされた場合に、前記コード画像を含む前記カード画像の全体を表示することを特徴とする請求項１に記載の履歴生成装置。
【請求項３】
現在の位置を特定する特定手段をさらに有し、
前記記憶手段は、前記店舗の位置を示す店舗位置情報をさらに記憶し、
前記生成手段は、前記表示されたカード画像に対応する店舗の店舗位置情報が、前記特定手段により特定される位置と同等である場合に、前記店舗を購入店舗として履歴情報を生成する
ことを特徴とする請求項１または２に記載の履歴生成装置。
【請求項４】
前記受付手段は、前記カード画像の表示方向の変更指示を受付け、
前記生成手段は、前記受付手段によりカード画像の表示方向の変更指示を受付けた場合、前記受付手段により表示されたカード画像に対応する前記店舗を購入店舗として履歴情報を生成する
ことを特徴とする請求項１〜３の何れか１つに記載の履歴生成装置。
【請求項５】
前記表示手段により表示されたカード画像内のコード画像に対する赤外線の照射を検出する検出手段をさらに有し、
前記生成手段は、前記検出手段により赤外線の照射を検出した場合、前記表示されたカード画像に対応する店舗を購入店舗として履歴情報を生成する
ことを特徴とする請求項１〜４のいずれか１つに記載の履歴生成装置。
【請求項６】
コンピュータが実行する履歴生成方法であって、
店舗を識別可能なコード画像を表示面に含むカード画像を記憶する記憶手段に記憶されたカード画像の表示指示を受付ける受付工程と、
前記受付工程により表示が指示された店舗の前記カード画像を表示する表示工程と、
前記表示されたカード画像に対応する前記店舗を購入店舗として履歴情報を生成する生成工程と、
を含んだことを特徴とする履歴生成方法。
【請求項７】
店舗を識別可能なコード画像を表示面に含むカード画像を記憶する記憶手段に記憶されたカード画像の表示指示を受付ける受付手順と、
前記受付手順により表示が指示された店舗の前記カード画像を表示する表示手順と、
前記表示されたカード画像に対応する前記店舗を購入店舗として履歴情報を生成する生成手順と、
をコンピュータに実行させることを特徴とする履歴生成プログラム。
【請求項８】
店舗を識別可能なコード画像を表示面に含むカード画像を記憶する第１記憶手段と、前記店舗に対応したカード画像の表示指示を受付ける受付手段と、前記受付手段により表示指示された店舗の前記カード画像を表示する表示手段と、前記受付手段により表示指示されたカードを通知する通知手段とを有する携帯型端末装置と、
前記カードを使用可能な店舗を示す店舗情報を記憶する第２記憶手段と、前記通知手段により通知されたカードの前記店舗情報により示される使用可能な店舗を購入店舗として履歴情報を生成する生成手段とを有するサーバ装置と、
を備えた履歴生成システム。
【発明の詳細な説明】
【技術分野】
【０００１】
本発明は、履歴生成装置、履歴生成方法、履歴生成プログラムおよび履歴生成システムに関する。
【背景技術】
【０００２】
店舗での販売を行う広告主は、ウェブ上に掲載した広告を閲覧したユーザが店舗に来店して商品等を購入することが収益につながる。このため、広告の有効性を判定するには、広告を閲覧したユーザが実際に来店して購入したかを判断するすべが必要となる。広告の有効性を判定する技術として、例えば、決済機能のある端末と、店舗のＰＯＳ（Point  Of  Sales）システムとで連携させることで、ユーザが購入したことを捕捉することができる。例えば、特許文献１は、ユーザの携帯端末にユーザを識別するユーザ識別符号を表示させ、加盟店端末でユーザ識別符号を読み取る技術が提案されている。
【先行技術文献】
【特許文献】
【０００３】
【特許文献１】特開２００９−６４２１２号公報
【発明の概要】
【発明が解決しようとする課題】
【０００４】
しかしながら、ユーザが商品を購入した店舗を広告主が知るには、ユーザの携帯端末から読み取ったユーザ識別符号を各加盟店端末から受け取るシステムを構築する必要があり、店舗側のシステムを変更しなければない。このため、既存の店舗のシステム変更を行うには、膨大なコストを要してしまい、容易にユーザの購入店舗の履歴を取得できなかった。
【０００５】
本願は、上記に鑑みてなされたものであって、店舗側の構成を変えることなく、ユーザの購入店舗の履歴を取得できるようにすることを目的とする。
【課題を解決するための手段】
【０００６】
本願に係る履歴生成装置は、店舗を識別可能なコード画像を表示面に含むカード画像を記憶する記憶手段と、前記店舗に対応したカード画像の表示指示を受付ける受付手段と、前記受付手段により表示指示された店舗の前記カード画像を表示する表示手段と、前記表示されたカード画像に対応する前記店舗を購入店舗として履歴情報を生成する生成手段と、を有することを特徴とする。
【発明の効果】
【０００７】
本願に係る履歴生成装置は、店舗側の構成を変えることなく、ユーザの購入店舗履歴を取得できる。
【図面の簡単な説明】
【０００８】
【図１】図１は、第１の実施形態に係るシステムの全体構成を模式的に示した図である。
【図２】図２は、第１の実施形態に係る携帯型端末装置の機能的な構成の一例を示す図である。
【図３】図３は、第１の実施形態に係るカード情報テーブルのデータ構成の一例を示す図である。
【図４】図４は、第１の実施形態に係る履歴情報のデータ構成の一例を示す図である。
【図５】図５は、第１の実施形態に係る選択画面の一例を示す図である。
【図６】図６は、第１の実施形態に係る選択画面でポイントカードの選択した状態の一例を示す図である。
【図７】図７は、第１の実施形態に係るカード画面の一例を示す図である。
【図８】図８は、第１の実施形態に係るサーバ装置の機能的な構成の一例を示す図である。
【図９】図９は、第１の実施形態に係る広告情報のデータ構成の一例を示す図である。
【図１０】図１０は、第１の実施形態に係る履歴生成処理の手順を示すフローチャートである。
【図１１】図１１は、第２の実施形態に係る携帯型端末装置の機能的な構成の一例を示す図である。
【図１２】図１２は、第２の実施形態に係る店舗位置情報テーブルのデータ構成の一例を示す図である。
【図１３】図１３は、第３の実施形態に係るカード画面の一例を示す図である。
【図１４】図１４は、第５の実施形態に係る携帯型端末装置の機能的な構成の一例を示す図である。
【図１５】図１５は、第５の実施形態に係るサーバ装置の機能的な構成の一例を示す図である。
【発明を実施するための形態】
【０００９】
以下に、本発明に係る履歴生成装置、履歴生成方法、履歴生成プログラムおよび履歴生成システムを実施するための形態（以下、「実施形態」と呼ぶ）について図面を参照しつつ詳細に説明する。なお、この実施形態によりこの発明が限定されるものではない。そして、各実施形態は、処理内容を矛盾させない範囲で適宜組み合わせることが可能である。
【００１０】
（第１の実施形態）
［１−１．システム構成］
実施形態について説明する。図１は、第１の実施形態に係るシステムの全体構成を模式的に示した図である。図１に示すように、システム１０は、携帯型端末装置１１と、店舗装置１２と、サーバ装置１３とを有する。携帯型端末装置１１とサーバ装置１３は、図示しないネットワークを介して通信可能に接続される。かかるネットワークの一態様としては、有線または無線を問わず、インターネット（Internet）、ＬＡＮ（Local  Area  Network）やＶＰＮ（Virtual  Private  Network）、移動体通信網などの任意の通信網が挙げられる。図１の例では、携帯型端末装置１１とサーバ装置１３を実線で接続して通信可能であることを示している。また、店舗装置１２と、携帯型端末装置１１およびサーバ装置１３とはオフライン状態であることを示している。なお、携帯型端末装置１１が本発明の履歴生成装置に対応する。また、図１の例では、システム１０は、携帯型端末装置１１および店舗装置１２を１つずつ有する場合を例示したが、開示のシステムはこれに限定されず、携帯型端末装置１１および店舗装置１２を任意の数とすることができる。また、システム１０は、サーバ装置１３を複数有してもよい。
【００１１】
店舗装置１２は、店舗に配置された装置であり、例えば、店舗の会計処理を行うＰＯＳ（Point  Of  Sales）端末である。なお、店舗装置１２は、デスクトップ型ＰＣ、タブレット型ＰＣ、ノート型ＰＣなどの情報処理装置であってもよい。店舗では、カードを用いたサービスを提供する。カードを用いたサービスとしては、例えば、ポイントの付与や蓄積されたポイントに応じた価格の割引などのインセンティブの提供、物品や特別な情報などの特典の提供などが挙げられる。本実施形態では、コードが記載されたポイントカードを提示し、店舗装置１２に設けられたコードリーダ部１２ａでポイントカードに記載されたコードを読み取ることにより、ポイントの付与や蓄積されたポイントに応じた割引を行う場合を例に説明する。ポイントカードには、店舗を識別可能なコード画像を表示面に設けられている。例えば、ポイントカードには、ポイントカードを利用可能な店舗から付与された、利用者のＩＤなどそれぞれカードを識別する識別情報をコード化したコード画像が表示面に記載されている。ポイントカードに記載されたコード画像は、バーコードなどの１次元コードであってもよく、ＱＲコード（Quick  Response  code）（登録商標）などの２次元コードであってよい。
【００１２】
携帯型端末装置１１は、ユーザが携帯して保持する端末装置である。例えば、携帯型端末装置１１は、携帯電話機、スマートフォン、ＰＤＡ（Personal  Digital  Assistant）等である。携帯型端末装置１１には、例えば、サーバ装置１３から提供されるカードを管理するアプリケーションを用いて、電子化されたポイントカードが記憶されている。ポイントカードの電子化は、例えば、アプリケーションにより各種のポイントカードが予め登録されて選択可能とされており、ポイントカードの種類を選択し、ポイントカードのコード画像を携帯型端末装置１１に搭載されたカメラで撮影して、選択されたポイントカードに対応付けて撮影されたコード画像を含むカード画像の画像データを記憶することにより行う。なお、ポイントカードを電子化する手法は、これに限定されるものではない。例えば、ポイントカードの提供元が、ポイントカードの種類およびコード画像を含むカードの画像データを携帯型端末装置１１へ送信し、携帯型端末装置１１がポイントカードの種類およびカードの画像データを対応付けて記憶するものとしてもよい。
【００１３】
携帯型端末装置１１は、電子化されたポイントカードのカード画像を表示部に表示して、カード画像に含まれるコード画像を店舗装置１２で読み取らせることにより、ポイントの付与や蓄積されたポイントに応じた割引を受けることが可能とされている。また、携帯型端末装置１１は、ポイントカードのカード画像を表示部に表示させた場合、表示させたポイントカードを使用可能な店舗を購入店舗として履歴情報を生成する。
【００１４】
サーバ装置１３は、サーバコンピュータ等の情報処理装置である。サーバ装置１３は、カードを管理するアプリケーションを提供しており、アプリケーションを用いて携帯型端末装置１１からユーザにより登録されたポイントカードや購入店舗の履歴の情報を取得する。サーバ装置１３は、取得したポイントカードや購入店舗の履歴の情報を用いて携帯型端末装置１１へ広告の配信を行う。
【００１５】
［１−２．携帯型端末装置およびサーバ装置の構成］
次に、第１の実施形態に係る携帯型端末装置１１およびサーバ装置１３についてさらに詳細に説明する。最初に携帯型端末装置１１の構成について説明する。図２は、第１の実施形態に係る携帯型端末装置の機能的な構成の一例を示す図である。
【００１６】
図２に示すように、携帯型端末装置１１は、表示部２０と、操作入力部２１と、通信Ｉ／Ｆ（インタフェース）部２２と、カメラ部２３と、記憶部２４と、制御部２５とを有する。
【００１７】
表示部２０は、各種情報を表示する表示デバイスである。表示部２０としては、ＬＣＤ（Liquid  Crystal  Display）やＣＲＴ（Cathode  Ray  Tube）などの表示デバイスが挙げられる。表示部２０は、各種情報を表示する。例えば、表示部２０は、表示するポイントカードを選択する選択画面や、選択されたポイントカードのカード画像を表示したカード画面を表示する。
【００１８】
操作入力部２１は、各種の情報を入力する入力デバイスである。例えば、操作入力部２１としては、携帯型端末装置１１に設けられた各種のボタンや、表示部２０上に設けられた透過型のタッチセンサなどの入力デバイスが挙げられる。なお、図２の例では、機能的な構成を示したため、表示部２０と操作入力部２１を別に分けているが、例えば、タッチパネルなど表示部２０と操作入力部２１を一体的に設けたデバイスで構成してもよい。また、操作入力部２１は、キーボード、マウスなどであってもよい。操作入力部２１は、ユーザからの操作入力を受け付け、受け付けた操作内容を示す操作情報を制御部２５に入力する。
【００１９】
通信Ｉ／Ｆ部２２は、ＮＩＣ（Network  Interface  Card）等のインタフェースである。通信Ｉ／Ｆ部２２は、ネットワークを介した他の装置との間で各種のデータを送受信する。例えば、通信Ｉ／Ｆ部２２は、サーバ装置１３からカードを管理するアプリケーションを受信する。また、通信Ｉ／Ｆ部２２は、サーバ装置１３へ履歴情報を送信する。また、通信Ｉ／Ｆ部２２は、サーバ装置１３から広告を含んだウェブページを受信する。
【００２０】
カメラ部２３は、撮像素子を内蔵し、画像を撮像するデバイスである。カメラ部２３は、携帯型端末装置１１の表示部２０を参照するユーザの顔を撮影可能なように、表示部２０の近傍に、画像を撮影可能な撮影領域を表示部２０の上面方向に向けて設けられている。撮像素子は、ＣＣＤ(Charge  Coupled  Device)、ＣＯＭＳ（Complementary  Metal  Oxide  Semiconductor）など何れでもよい。撮像素子は、赤外線にも感度を有する。このため、カメラ部２３は、表示部２０に表示されたカード画像を店舗装置１２のコードリーダ部１２ａで読み取る際に照射される赤外線を検出可能である。カメラ部２３は、例えば、表示部２０に表示されたカード画像内のコード画像に対する赤外線の照射を検出する。
【００２１】
記憶部２４は、各種情報を記憶するデバイスである。例えば、記憶部２４としては、ＲＡＭ（Random  Access  Memory）、フラッシュメモリなどの半導体メモリ素子や、ハードディスク、光ディスクなどの記憶装置が挙げられる。
【００２２】
記憶部２４は、制御部２５で実行されるＯＳ（Operating  System）や購入店舗の履歴の生成に用いる各種プログラムを記憶する。例えば、記憶部２４は、サーバ装置１３から提供されるカードを管理するアプリケーションを記憶する。さらに、記憶部２４は、各種データを記憶する。例えば、記憶部２４は、カード情報テーブル３０と、履歴情報３１とを記憶する。
【００２３】
カード情報テーブル３０は、電子化されたポイントカードに関する情報を記憶したテーブルである。例えば、カード情報テーブル３０には、カード毎に、登録されたポイントカードを示すカード画像の画像データが記憶されている。また、カード情報テーブル３０には、カード毎に、カードを使用可能な店舗を示す店舗情報が記憶されている。
【００２４】
図３は、第１の実施形態に係るカード情報テーブルのデータ構成の一例を示す図である。図３に示したカード情報テーブル３０には、カード名称、カード画像、使用可能店舗を記憶する領域が設けられている。カード情報テーブル３０のカード名称の領域には、流通している各種のポイントカードの名称が予め登録され、使用可能店舗の領域は、ポイントカードを使用可能な店舗が予め登録されている。カード画像の領域は、ユーザがポイントカードを撮影して登録を行った場合に、撮影されたポイントカードの画像データが格納される。図３の例では、「ＸＸカメラポイントカード」は、カード画像に画像ａが格納されていることからユーザによるポイントカードの登録が行われており、使用可能な店舗が「ＸＸカメラ」であることを示す。また、「△△電気ポイントカード」は、カード画像に画像ｂが格納されていることからユーザによるポイントカードの登録が行われており、使用可能な店舗が「△△電気」であることを示す。また、「○○ストアポイントカード」は、カード画像の画像データに画像が格納されていないことからユーザによるポイントカードの登録が行われておらず、使用可能な店舗が「○○ストア」であることを示す。カード情報テーブル３０は、例えば、サーバ装置１３から提供されるカードを管理するアプリケーションと共にダウンロードされ、記憶部２４に格納される。なお、本実施形態では、カード画像のデータとして、カード画像の画像データを記憶するもとしたが、画像データにより示されるコードをデコードしたデータを記憶するものとしてもよい。カード画像のデータとしてコードをデコードしたデータを記憶させた場合は、ポイントカードを利用する際、データをコード化した画像を表示させる。
【００２５】
履歴情報３１は、ユーザが商品を購入した購入店舗の履歴を記憶したデータである。履歴情報３１は、後述する生成部４２により生成される。また、履歴情報３１は、後述する送信部４３によりサーバ装置１３へ送信される。
【００２６】
図４は、第１の実施形態に係る履歴情報のデータ構成の一例を示す図である。図４に示した履歴情報３１には、購入店舗、日時を記憶する領域が設けられている。履歴情報３１の購入店舗の領域には、購入店舗を記憶する領域であり、日時の領域は、購入日時を記憶する領域である。図４の例では、「ＸＸカメラ」は、２０１２年９月１日の１０：００にユーザが商品を購入したことを示す。また、「△△電気」は、２０１２年９月１日の１１：００にユーザが商品を購入したことを示す。
【００２７】
制御部２５は、携帯型端末装置１１を制御するデバイスである。例えば、制御部２５としては、ＣＰＵ（Central  Processing  Unit）やＭＰＵ（Micro  Processing  Unit）等の電子回路や、ＡＳＩＣ（Application  Specific  Integrated  Circuit）やＦＰＧＡ（Field  Programmable  Gate  Array）等の集積回路を採用できる。制御部２５は、各種の処理手順を規定したプログラムや制御データを格納するための内部メモリを有し、これらによって種々の処理を実行する。制御部２５は、各種のプログラムが動作することにより各種の処理部として機能する。例えば、制御部２５は、受付部４０と、表示制御部４１と、生成部４２と、送信部４３とを有する。
【００２８】
受付部４０は、各種の受付を行う。例えば、受付部４０は、カード情報テーブル３０に記憶されたポイントカードの表示の指示を受付ける。受付部４０は、例えば、表示するポイントカードを選択する選択画面を表示部２０に表示させ、選択画面から表示するポイントカードの指定を受け付ける。
【００２９】
図５は、第１の実施形態に係る選択画面の一例を示す図である。図５に示すように、本実施形態に係る選択画面５０は、ポイントカードをカードケースに収納した状態のイメージで画面が構成されている。選択画面５０は、カードを収納する収納部５０ａが設けられ、収納部５０ａにカードが収納された状態で示されている。図５の例では、収納部５０ａが縦に３つ設けられ、一番下の収納部５０ａにポイントカード５１が収納されている。選択画面５０は、収納部５０ａに収納されたポイントカード５１を選択することにより、表示するポイントカードを指定することが可能とされている。ユーザは、選択画面５０から表示するポイントカードの選択を行う。図６は、第１の実施形態に係る選択画面でポイントカードの選択した状態の一例を示す図である。図６に示すように、選択画面５０は、表示するポイントカード５１が指定されると、指定されたポイントカード５１が収納部５０ａから抜き出される画像が表示され、指定されたポイントカード５１が表示される。これにより、実際のカードと同じような操作で電子化されたカードを扱うことができる。なお、図５，６に示した選択画面は、一例であり、この画面構成に限定されるものではない。
【００３０】
表示制御部４１は、各種表示の制御を行う。例えば、表示制御部４１は、選択画面５０で表示が指示されたポイントカードの画像データにより示されるカード画像を表示したカード画面を表示部２０に表示させる。
【００３１】
図７は、第１の実施形態に係るカード画面の一例を示す図である。図７に示すように、カード画面５５には、コード画像５６が表示されている。ユーザは、コード画像５６を店舗で提示する。なお、図７の例は、コード画像５６として、バーコードを表示した例を示している。
【００３２】
生成部４２は、各種の情報を生成する。例えば、生成部４２は、表示が指示されたポイントカードを使用可能な店舗を購入店舗として履歴情報３１を生成する。生成部４２は、例えば、選択画面５０でポイントカード表示が指示された場合、指示されたポイントカードを使用可能な店舗をカード情報テーブル３０から読み出し、読み出した店舗をユーザが商品を購入した購入店舗とみなして、現在の日時と共に履歴情報３１に記憶させる。
【００３３】
送信部４３は、各種の情報を送信する。例えば、送信部４３は、所定のタイミングで履歴情報３１をサーバ装置１３へ送信する。この履歴情報３１を送信するタイミングは、日次や月次などの一定期間毎であってもよく、サーバ装置１３から履歴情報３１の送信要求を受信したタイミングであってもよい。送信部４３は、送信が完了後、送信済みの履歴情報３１を削除する。なお、送信部４３は、送信済みの履歴情報３１を特定のフォルダなどにバックアップしてもよい。
【００３４】
このように、携帯型端末装置１１は、電子化されたポイントカードの表示が指示された場合、表示が指示されたカードを使用可能な店舗を購入店舗として履歴情報を生成することにより、店舗側の構成を変えることなく、ユーザの購入店舗の履歴を取得できる。
【００３５】
次にサーバ装置１３の構成について説明する。図８は、第１の実施形態に係るサーバ装置の機能的な構成の一例を示す図である。図８に示すように、サーバ装置１３は、通信Ｉ／Ｆ部６０と、記憶部６１と、制御部６２とを有する。
【００３６】
通信Ｉ／Ｆ部６０は、ＮＩＣ等のインタフェースである。通信Ｉ／Ｆ部６０は、図示しないネットワークを介して他の装置との間で各種のデータを送受信する。例えば、通信Ｉ／Ｆ部６０は、携帯型端末装置１１から履歴情報３１を受信する。また、通信Ｉ／Ｆ部６０は、サーバ装置１３が提供するウェブページに対して携帯型端末装置１１からアクセス要求があった場合、広告を含めたウェブページを携帯型端末装置１１へ送信する。
【００３７】
記憶部６１は、各種情報を記憶するデバイスである。例えば、記憶部６１としては、ＲＡＭ、フラッシュメモリなどの半導体メモリ素子や、ハードディスク、光ディスクなどの記憶装置が挙げられる。
【００３８】
記憶部６１は、制御部６２で実行されるＯＳや、広告の配信および評価に用いる各種プログラムを記憶する。さらに、記憶部６１は、各種情報を記憶する。例えば、記憶部６１は、広告情報７０と、履歴情報７１とを記憶する。
【００３９】
広告情報７０は、各広告主から依頼されたウェブページに含めて表示させる広告を記憶したデータである。例えば、広告情報７０には、各種のポイントカードの提供元の店舗に関する広告が記憶されている。履歴情報７１は、携帯型端末装置１１から受信した履歴情報３１をまとめて蓄積したデータである。
【００４０】
図９は、第１の実施形態に係る広告情報のデータ構成の一例を示す図である。図９に示した広告情報７０には、店舗、広告を記憶する領域が設けられている。広告情報７０の店舗の領域には、ポイントカードの提供元の店舗を記憶する領域であり、広告の領域は、広告に関する広告を記憶する領域である。図９の例では、「ＸＸカメラ」は、店舗に関する広告が広告ａであることを示す。また、「△△電気」は、店舗に関する広告が広告ｂであることを示す。
【００４１】
制御部６２は、サーバ装置１３を制御するデバイスである。例えば、制御部６２としては、ＣＰＵやＭＰＵ等の電子回路や、ＡＳＩＣやＦＰＧＡ等の集積回路を採用できる。制御部６２は、各種の処理手順を規定したプログラムや制御データを格納するための内部メモリを有し、これらによって種々の処理を実行する。制御部６２は、各種のプログラムが動作することにより各種の処理部として機能する。例えば、制御部６２は、配信部８０と、評価部８１とを有する。
【００４２】
配信部８０は、各種の情報の配信を行う。例えば、配信部８０は、サーバ装置１３が提供するウェブページに対してアクセス要求があった場合、広告情報７０に記憶された広告から所定の規則で広告を選択し、選択された広告を含めたウェブページのデータを要求元に配信する。この所定の規則は、各広告を均等に選択するものとしてもよく、特定の広告を集中的に選択するものとしてもよく、後述する評価部８１による評価の結果、広告効果が高い広告を選択するものとしてもよい。
【００４３】
評価部８１は、各種の評価を行う。例えば、評価部８１は、広告の配信回数と、履歴情報７１とに基づいて、広告の効果の評価を行う。例えば、評価部８１は、履歴情報７１から店舗毎に、購入店舗とされた回数をカウントする。また、評価部８１は、店舗毎に、広告を配信した配信回数をカウントする。そして、評価部８１は、配信回数に対する購入店舗とされた回数の割合を広告の評価値として算出する。なお、広告の評価の手法は、これに限定されず、どのような手法を用いてもよい。例えば、携帯型端末装置１１から電子化されたポイントカードを送信させて、携帯型端末装置１１毎の電子化されたポイントカードを端末別カード情報として記憶部６１に記憶させる。配信部８０は、端末別カード情報に基づき、携帯型端末装置１１で電子化されたポイントカードを利用可能な店舗の広告を当該携帯型端末装置１１へ配信する。そして、評価部８１は、携帯型端末装置１１から送信された履歴情報３１に、広告を配信した店舗が購入店舗として含まれるか否かにより、広告の評価を行うものとしてもよい。
【００４４】
このように、サーバ装置１３は、携帯型端末装置１１で生成された履歴情報３１を取得することにより、店舗側の構成を変えることなく、ユーザの店舗へ導けるかについて広告の有効性を評価できる。
【００４５】
［１−３．作用］
次に、本実施形態に係る携帯型端末装置１１が履歴情報を生成する履歴生成処理の流れを説明する。図１０は、第１の実施形態に係る履歴生成処理の手順を示すフローチャートである。この履歴生成処理は、所定のタイミング、例えば、選択画面の表示を指示する所定の操作が行われたタイミングで実行される。
【００４６】
図１０に示すように、受付部４０は、例えば、表示するポイントカードを選択する選択画面を表示部２０に表示させる（Ｓ１０）。受付部４０は、ポイントカードが選択されたか否か判定し（Ｓ１１）、選択されていない場合は選択待ちを行う（Ｓ１１否定）。ポイントカードが選択された場合（Ｓ１１肯定）、生成部４２は、表示が指示されたポイントカードを使用可能な店舗を購入店舗として履歴情報３１を生成し（Ｓ１２）、処理を終了する。
【００４７】
［１−４．効果］
このように、携帯型端末装置１１は、店舗を識別可能なコード画像を表示面に含むカード画像を記憶する。携帯型端末装置１１は、店舗に対応したカード画像の表示指示を受付ける。携帯型端末装置１１は、表示指示された店舗のカード画像を表示する。そして、携帯型端末装置１１は、表示されたカード画像に対応する店舗を購入店舗として履歴情報を生成する。このように、携帯型端末装置１１は、表示が指示されたカードを使用可能な店舗を購入店舗として履歴情報を生成することで、店舗側の構成を変えることなく、ユーザの購入店舗の履歴を取得できる。
【００４８】
（第２の実施形態）
次に、第２の実施形態について説明する。第２の実施形態に係るシステム１０、店舗装置１２、サーバ装置１３の構成は、図１、図８に示した第１の実施形態に係るシステム１０、店舗装置１２、サーバ装置１３と同一であるため、説明を省略する。
【００４９】
［２−１．携帯型端末装置の構成］
図１１は、第２の実施形態に係る携帯型端末装置の機能的な構成の一例を示す図である。第２の実施形態に係る携帯型端末装置１１の構成は、図２に示した第１の実施形態に係る携帯型端末装置１１と略同一であるため、主に異なる部分について説明する。
【００５０】
図１１に示すように、携帯型端末装置１１は、ＧＰＳ（Global  Positioning  System）ユニット２６をさらに有する。
【００５１】
ＧＰＳユニット２６は、複数のＧＰＳ衛星からの電波を受信して各々のＧＰＳ衛星との距離を割り出すことにより、緯度および経度などの座標値で現在位置を測定するユニットである。
【００５２】
また、携帯型端末装置１１の記憶部２４は、店舗位置情報テーブル３２をさらに記憶する。
【００５３】
店舗位置情報テーブル３２は、ポイントカードを使用可能な店舗の位置を示す店舗位置情報を記憶したテーブルである。例えば、カード情報テーブル３０には、ポイントカード毎に、ポイントカードを使用可能な店舗および店舗の位置情報が記憶されている。
【００５４】
図１２は、第２の実施形態に係る店舗位置情報テーブルのデータ構成の一例を示す図である。図１２に示した店舗位置情報テーブル３２には、カード名称、店舗、位置を記憶する領域が設けられている。カード名称の領域には、流通している各種のポイントカードの名称が予め登録され、店舗の領域は、カードを使用可能な店舗の名称が予め登録され、位置の領域には、店舗の位置を示す位置情報が予め登録されている。図１２の例では、「ＸＸカメラポイントカード」の「ＸＸカメラＸＸ店」は、位置が位置ａであることを示す。また、「△△電気ポイントカード」の「△△電気○○店」は、位置が位置ｃであることを示す。この位置ａ〜ｃは、実際には緯度および経度などの座標値で位置を表している。店舗位置情報テーブル３２は、例えば、サーバ装置１３から提供されるカードを管理するアプリケーションと共にダウンロードされ、記憶部２４に格納される。
【００５５】
生成部４２は、選択画面５０でポイントカードの表示が指示された際にＧＰＳユニット２６により特定される位置が、表示が指示されたポイントカードを使用可能な店舗の位置と同等である場合、同等の位置にある店舗を購入店舗として履歴情報を生成する。例えば、生成部４２は、選択画面５０でポイントカード表示が指示された場合、指示されたポイントカードを使用可能な店舗の位置を店舗位置情報テーブル３２から読み出す。また、生成部４２は、ＧＰＳユニット２６により現在位置を特定する。そして、生成部４２は、現在地位が何れかの使用可能な店舗の位置と同等である場合、同等の位置にある使用可能な店舗をユーザが商品を購入した購入店舗とみなして、現在の日時と共に履歴情報３１に記憶させる。なお、位置が同等であるか否かは、位置が厳密に一致しているかを判定するのでなく、何れか一方の位置に対して他方の位置が所定の許容範囲内であれば位置が同等とみなす。許容範囲は、ＧＰＳユニット２６などによる位置の特定精度に応じて定めればよい。例えば、許容範囲は、ＧＰＳユニット２６などによる位置の誤差と同等とする。例えば、位置の誤差が５０ｍであれば、許容範囲は、５０ｍ以内とする。
【００５６】
［２−２．効果］
このように、携帯型端末装置１１は、現在の位置を特定する。携帯型端末装置１１は、カードを使用可能な店舗の位置を示す店舗位置情報をさらに記憶する。そして、携帯型端末装置１１は、表示されたカード画像に対応する店舗の店舗位置情報が特定される位置と同等である場合に、店舗を購入店舗として履歴情報を生成する。これにより、携帯型端末装置１１は、カードを使用可能な店舗以外でユーザがカードを表示させた場合に、履歴情報が記憶されないため、購入店舗の履歴の精度が向上する。
【００５７】
（第３の実施形態）
次に、第３の実施形態について説明する。第３の実施形態に係るシステム１０、店舗装置１２、サーバ装置１３の構成は、図１、図８に示した第１の実施形態に係るシステム１０、店舗装置１２、サーバ装置１３と同一であるため、説明を省略する。また、第３の実施形態に係る携帯型端末装置１１の構成は、図２に示した第１の実施形態に係る携帯型端末装置１１と略同一であるため、主に異なる部分について説明する。
【００５８】
［３−１．携帯型端末装置の構成］
表示制御部４１は、選択画面５０で表示が指示されたポイントカードの画像データにより示されるカード画像を表示したカード画像を表示方向の変更可能に表示部２０に表示させる。
【００５９】
図１３は、第３の実施形態に係るカード画面の一例を示す図である。図１３に示すカード画面５５には、コード画像５６を含んだカード画像が表示されている。また、カード画面５５には、カード画像の１８０度回転させることを指示する回転ボタン５７が設けられている。
【００６０】
受付部４０は、表示されたカード画像の表示方向の変更指示を受付ける。例えば、受付部４０は、カード画面５５に設けられた回転ボタン５７により、表示されたカード画像の表示方向の１８０度回転させる変更指示を受付ける。
【００６１】
表示制御部４１は、受付部４０により回転ボタン５７の選択を受付けた場合、カード画像を１８０度回転して表示させる。なお、本実施形態では、回転ボタン５７の選択を受付けた場合に、カード画像を１８０度回転させるが、回転角度はこれに限定されるものではない、例えば、回転ボタン５７の選択を受付ける毎に、カード画像を９０度ずつ回転させてもよい。
【００６２】
生成部４２は、受付部４０によりカード画像の表示方向の変更指示を受付けた場合、表示方向の変更指示を受付けたポイントカードを使用可能な店舗を購入店舗として履歴情報を生成する。生成部４２は、例えば、カード画像の表示方向の変更が指示された場合、表示方向の変更させたポイントカードを使用可能な店舗をカード情報テーブル３０から読み出し、読み出した店舗をユーザが商品を購入した購入店舗とみなして、現在の日時と共に履歴情報３１に記憶させる。
【００６３】
ここで、ユーザは、店舗においてポイントを利用する場合、店舗装置１２で読み取り易いように、回転ボタン５７を選択してカード画像を回転させる。よって、回転ボタン５７を選択するタイミングは、店舗を利用しているタイミングと見なせる。よって、第３の実施形態に係る携帯型端末装置１１では、カード画像の表示方向の変更指示を受付けたタイミングで履歴情報３１に記憶させる。
【００６４】
［３−２．効果］
このように、携帯型端末装置１１は、カード画像の表示方向の変更指示を受付ける。そして、携帯型端末装置１１は、カード画像の表示方向の変更指示を受付けた場合、表示方向の変更指示を受付けたカードを使用可能な店舗を購入店舗として履歴情報を生成する。このように、携帯型端末装置１１は、店舗でユーザがカード画像を読み易いように表示方向の変更された際に履歴を記憶することで、精度良く購入店舗の履歴を記録できる。
【００６５】
（第４の実施形態）
次に、第４の実施形態について説明する。第４の実施形態に係るシステム１０、店舗装置１２、サーバ装置１３の構成は、図１、図８に示した第１の実施形態に係るシステム１０、店舗装置１２、サーバ装置１３と同一であるため、説明を省略する。また、第４の実施形態に係る携帯型端末装置１１の構成は、図２に示した第１の実施形態に係る携帯型端末装置１１と略同一であるため、主に異なる部分について説明する。
【００６６】
［４−１．携帯型端末装置の構成］
生成部４２は、カメラ部２３により赤外線の照射を検出した場合、表示が指示されたポイントカードを使用可能な店舗を購入店舗として履歴情報３１を生成する。例えば、生成部４２は、選択画面５０でポイントカード表示が指示された場合、コード画像を表示したカードを表示部２０に表示している間、カメラ部２３を制御して赤外線の照射を検出する。そして、生成部４２は、赤外線の照射を検出した場合、表示部２０に表示させたポイントカードを使用可能な店舗をカード情報テーブル３０から読み出し、読み出した店舗をユーザが商品を購入した購入店舗とみなして、現在の日時と共に履歴情報３１に記憶させる。
【００６７】
ここで、店舗装置１２では、コードリーダ部１２ａから赤外光を照射して表示部２０に表示されたカード画像に含まれるコード画像を読み取る場合、カメラ部２３にも赤外光が入射する。よって、カメラ部２３で赤外光が検出されたタイミングは、店舗を利用しているタイミングと見なせる。よって、第４の実施形態に係る携帯型端末装置１１では、赤外光が検出されたタイミングで履歴情報３１に記憶させる。
【００６８】
［４−２．効果］
このように、携帯型端末装置１１は、カード画像のコード画像に対する赤外線の照射を検出する。そして、携帯型端末装置１１は、赤外線の照射を検出した場合、表示が指示されたカードを使用可能な店舗を購入店舗として履歴情報を生成する。このように、携帯型端末装置１１は、カード画像に含まれるコード画像を読み込む際の赤外線を検出して履歴を記録することで、精度良く購入店舗の履歴を記録できる。
【００６９】
（第５の実施形態）
次に、第５の実施形態について説明する。第５の実施形態に係るシステム１０、店舗装置１２の構成は、図１に示した第１の実施形態に係るシステム１０、店舗装置１２と同一であるため、説明を省略する。また、第５の実施形態に係る携帯型端末装置１１の構成は、図２に示した第１の実施形態に係る携帯型端末装置１１と略同一であるため、主に異なる部分について説明する。
【００７０】
［５−１．携帯型端末装置の構成］
図１４は、第５の実施形態に係る携帯型端末装置の機能的な構成の一例を示す図である。第５の実施形態に係る携帯型端末装置１１の構成は、図２に示した第１の実施形態に係る携帯型端末装置１１と略同一であるため、主に異なる部分について説明する。
【００７１】
図１４に示すように、携帯型端末装置１１の制御部２５は、送信部４３の代わりに通知部４４を有する。
【００７２】
通知部４４は、各種の通知を行う。例えば、通知部４４は、選択画面５０でポイントカード表示が指示された場合、表示が指示されたポイントカードをサーバ装置１３へ通知する。
【００７３】
次にサーバ装置１３の構成について説明する。図１５は、第５の実施形態に係るサーバ装置の機能的な構成の一例を示す図である。第５の実施形態に係るサーバ装置１３の構成は、図８に示した第１の実施形態に係るサーバ装置１３と略同一であるため、主に異なる部分について説明する。
【００７４】
図１５に示すように、サーバ装置１３の記憶部６１は、店舗情報７２をさらに記憶する。店舗情報７２は、ポイントカード毎に、カードを使用可能な店舗を記憶したデータである。
【００７５】
制御部６２は、生成部８２をさらに有する。生成部８２は、各種の情報を生成する。例えば、生成部８２は、携帯型端末装置１１から通知されたポイントカードを使用可能な店舗を購入店舗として履歴情報を生成する。生成部８２は、例えば、携帯型端末装置１１から通知されたポイントカードを使用可能な店舗を店舗情報７２から読み出し、読み出した店舗をユーザが商品を購入した購入店舗とみなして、現在の日時と共に履歴情報７１に記憶させる。
【００７６】
［５−２．効果］
このように、携帯型端末装置１１は、店舗を識別可能なコード画像を表示面に含むカード画像を記憶する。携帯型端末装置１１は、店舗に対応したカード画像の表示指示を受付け、表示指示された店舗のカード画像を表示する。そして、携帯型端末装置１１は、表示指示されたカードを通知する。一方、サーバ装置１３は、カードを使用可能な店舗を示す店舗情報を記憶する。そして、サーバ装置１３は、通知されたカードの店舗情報により示される使用可能な店舗を購入店舗として履歴情報を生成する。これにより、店舗側の構成を変えることなく、ユーザの購入店舗の履歴を取得できる。
【００７７】
［６．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００７８】
例えば、上記の第２の実施形態では、ＧＰＳユニット２６により現在位置を特定する場合について説明したが、本発明はこれに限定されない。例えば、移動体通信網での各基地局からの電波の距度から現在位置を特定してもよい。また、建物等において、移動体通信の基地局情報や無線ＬＡＮなどにより位置情報を提供している場合は、提供される位置情報から現在位置を特定してもよい。
【００７９】
また、上記の第４の実施形態では、カメラ部２３により赤外線の照射を検出する場合について説明したが、本発明はこれに限定されない。例えば、赤外線を検出可能なセンサを表示部２０の近傍に設けて、赤外線の照射を検出してもよい。
【００８０】
また、上記の第２〜４の実施形態で説明した履歴情報を生成する条件は、適宜組み合わせてもよい。例えば、現在位置が、表示が指示されたカードの使用可能な店舗の位置であり、かつ、カード画像の表示方向の変更指示を受付けた場合に履歴情報を生成するようにしてもよい。
【００８１】
また、上記の第５の実施形態では、携帯型端末装置１１は、表示が指示されたカードをサーバ装置１３へ通知する場合について説明したが、本発明はこれに限定されない。例えば、第２の実施形態のように、携帯型端末装置１１にＧＰＳユニット２６を設け、現在位置が、表示が指示されたカードの使用可能な店舗の位置である場合に、表示が指示されたカードをサーバ装置１３へ通知するようにしてもよい。また、第３の実施形態のように、コード画像を含んだカード画像を表示方向の変更指示を受けた場合に、カード画像のカードをサーバ装置１３へ通知するようにしてもよい。また、第４の実施形態のように、赤外線を検出した場合に、カード画像を表示したカードをサーバ装置１３へ通知するようにしてもよい。第５の実施形態についても、上記の第２〜４の実施形態で説明した履歴情報を生成する条件を適宜組み合わせてもよい。
【００８２】
また、上述したサーバ装置１３は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【００８３】
また、特許請求の範囲に記載した「手段」は、「部（section、module、unit）」や「回路」などに読み替えることができる。例えば、検索手段は、検索部や検索回路に読み替えることができる。
【符号の説明】
【００８４】
１０  システム
１１  携帯型端末装置
１２  店舗装置
１３  サーバ装置
２０  表示部
２１  操作入力部
２３  カメラ部
２４  記憶部
２５  制御部
２６  ＧＰＳユニット
３０  カード情報テーブル
３１  履歴情報
３２  店舗位置情報テーブル
４０  受付部
４１  表示制御部
４２  生成部
４３  送信部
４４  通知部
６１  記憶部
６２  制御部
７０  広告情報
７１  履歴情報
７２  店舗情報
８０  配信部
８１  評価部
８２  生成部
【図１】
0005504320.tif 000002
【図２】
0005504320.tif 000003
【図３】
0005504320.tif 000004
【図４】
0005504320.tif 000005
【図５】
0005504320.tif 000006
【図６】
0005504320.tif 000007
【図７】
0005504320.tif 000008
【図８】
0005504320.tif 000009
【図９】
0005504320.tif 000010
【図１０】
0005504320.tif 000011
【図１１】
0005504320.tif 000012
【図１２】
0005504320.tif 000013
【図１３】
0005504320.tif 000014
【図１４】
0005504320.tif 000015
【図１５】
0005504320.tif 000016